(57)【要約】【課題】  回路内に変圧器を用いる電源回路用の過電流検出回路、を提供すること。【解決手段】  回路内で変圧器による電圧変換を行う電源回路用の過電流検出回路であって、変圧器の２次巻線側の漏れ磁束を検出する検出用巻線と、検出用巻線に誘起する電圧を整流して、出力する整流回路と、で構成されている。【選択図】図１
2005354840.tif 000002
【特許請求の範囲】
【請求項１】
回路内で変圧器による電圧変換を行う電源回路用の過電流検出回路であって、
変圧器の２次巻線側の漏れ磁束を検出する検出用巻線と、
検出用巻線に誘起する電圧を整流して、出力する整流回路と、で構成されていることを特徴とする電源回路用の過電流検出回路。
【発明の詳細な説明】
【技術分野】
【０００１】
本発明は、回路内で変圧器による電圧変換を行う電源回路用の過電流検出回路に関する。
【背景技術】
【０００２】
従来より、複合共振型の電源回路など、回路内で変圧器による電圧変換を行う種々の電源回路が知られている。例えば、以下の非特許文献１の第４２頁に示す図２−１１と、第６５頁に示す図４−４とには、過電流保護回路を備える電源回路の一例が示されている。
【非特許文献１】「トランジスタ技術SPECIAL、vol.57、最新スイッチング電源技術のすべて」、1997年発行、ＣＱ出版社
【０００３】
図２は、従来の複合共振型の電源回路５０の回路を示す図である。電源回路５０は、変圧器１０６の１次巻線側と２次巻線側とに、それぞれ過電流検出用の抵抗１０８と抵抗１０９とを備える。なお、通常は、１次巻線側と２次巻線側との何れか一方に、過電流検出用の抵抗（抵抗１０８又は抵抗１０９）を設ける。
【０００４】
以下、各回路構成要素について簡単に説明する。交流電源１０１は、交流電圧Ｖｉｎを発生する。整流・平滑化回路１０２は、交流電圧Ｖｉｎを整流して直流電圧に変換し、当該直流電圧を、平滑化する。スイッチング回路１０５は、共振用コンデンサを有する，いわゆる半波電圧共振スイッチであり、整流・平滑化後の直流電圧を共振させることにより交流電圧に変換し、変換後の交流電圧を変圧器１０６の１次巻線に印加する。変圧器１０６の２次巻線には、整流・平滑化回路１０７が設けられている。整流・平滑化回路１０７は、変圧器１０６の２次巻線に誘起される交流電圧を、整流して直流電圧に変換し、当該直流電圧を、平滑化した後に、負荷１５０に出力する。整流・平滑化回路１０７は、平滑化用のコンデンサ１１２の他に、電圧共振用のコンデンサ１１０を備え、当該コンデンサ１１０により、変圧器１０６の２次巻線に誘起した交流電圧を共振させて、交流電源１０１が出力する交流電圧に対する、直流電圧の取り出し効率を改善する。
【発明の開示】
【発明が解決しようとする課題】
【０００５】
上記構成の電源回路５０には、過電流検出用に２個の抵抗１０８，１０９が、それぞれ変圧器１０６の１次巻線側と２次巻線側との回路に直列に接続されている。抵抗１０８の両端には、過電流除去回路Ｃ１が接続されている。過電流除去回路Ｃ１は、抵抗１０８に過電流が流れた場合に、当該過電流の除去を行う。同様に、抵抗１０９の両端には、過電流除去回路Ｃ２が設けられている。過電流除去回路Ｃ２は、抵抗１０９に過電流が流れたた場合に、当該過電流の除去を行う。
【０００６】
過電流検出用に抵抗１０８，１０９を使用する場合、当該抵抗１０８，１０９において常に電力が消費される。特に、複合共振型の電源回路の場合、上述するように、変圧器１０６の２次巻線側に電圧共振用のコンデンサを設け、直流電圧の取り出し効率の改善を図っているが、抵抗１０８，１０９において生じる一定量の電圧降下により、上記効率の改善率が大きく低下してしまうという問題があった。
【０００７】
本発明は、回路内で変圧器を用いて電圧変換を行う電源回路用において、過電流検出のための電力の消費を無くすことができ、それによって、特に、高効率な電圧変換を行う複合共振型の電源回路における直流電圧の取り出し効率の低下を防止できる過電流検出回路を提供することを目的とする。
【課題を解決するための手段】
【０００８】
請求項１記載の発明は、回路内で変圧器による電圧変換を行う電源回路用の過電流検出回路であって、変圧器の２次巻線側の漏れ磁束を検出する検出用巻線と、検出用巻線に誘起する電圧を整流して出力する整流回路と、で構成されていることを特徴とする過電流検出回路である。
【発明の効果】
【０００９】
請求項１記載の発明の過電流検出回路を用いることにより、電源回路内で過電流検出のための電力の消費を無くすことができ、それによって、回路内で変圧器による電圧変換を行う電源回路、特に複合共振型の電源回路における直流電圧の取り出し効率の低下を防止することができる。
【発明を実施するための最良の形態】
【００１０】
図１は、本発明の実施形態である過電流検出回路１２０を備えた複合共振型の電源回路１００の構成を示す図である。複合共振型の電源回路１００は、発振回路と、変圧器と、整流回路等とを利用して、直流電圧と交流電圧との相互間の変換を、複数回繰り返した（いわゆる複合共振変換した）後に、直流電圧を出力する電源回路の１つである。
【００１１】
複合共振型の電源回路１００は、使用する変圧器の１次巻線側に備える共振回路により直流電圧を交流電圧に変換するだけでなく、変圧器の２次巻線側にも共振用のコンデンサを備え、当該２次巻線と共振用のコンデンサとを含む共振回路の作用により、２次巻線に誘起する交流電圧を直流電圧に変換し、変換後の直流電圧を、後段に接続する負荷に出力することを特徴とする。
【００１２】
以下、各回路構成要素の説明を行う、電源回路１０１は、交流電圧Ｖｉｎを出力する。整流・平滑化回路１０２は、整流ブリッジ回路１０３と、平滑化用のコンデンサ１０４とで構成され、交流電圧Ｖｉｎを整流して直流電圧に変換し、当該直流電圧を、平滑化する。スイッチング回路１０５は、共振用コンデンサを有する，いわゆる半波電圧共振スイッチであり、整流・平滑化後の直流電圧を共振させることにより交流電圧に変換し、変換後の交流電圧を変圧器１０６の１次巻線に印加する。
【００１３】
変圧器１０６の２次巻線側に設けられた整流・平滑化回路１０７は、変圧器１０６の２次巻線に誘起される交流電圧を、整流して直流電圧に変換し、当該直流電圧を、平滑化した後に、負荷１５０に出力する。整流・平滑化回路１０７は、平滑化用のコンデンサ１１２の他に、電圧共振用のコンデンサ１１０を備え、当該コンデンサ１１０により、変圧器１０６の２次巻線に誘起した交流電圧を共振させて、交流電源１０１が出力する交流電圧に対する、直流電圧の取り出し効率を改善する。
【００１４】
上記構成の電源回路１００では、上述した回路構成要素の他に、更に過電流検出回路１２０を備える。過電流検出回路１２０は、巻線１２１と整流ブリッジ回路１２２で構成される。巻線１２１は、変圧器１０６の２次巻線の漏れ磁束を検出する位置に設けられている。整流ブリッジ回路１２２は、巻線１２１に誘起する交流電圧を、整流して直流電圧に変換し、当該直流電圧を、後段に接続する過電流除去回路Ｃ０に出力する。
【００１５】
例えば、変圧器１０６の１次巻線側で過電流が発生した場合、過電流検出回路１２０は、変圧器１０６の２次巻線側の漏れ磁束から、発生した過電流の値に応じた直流電圧を、後段に接続する過電流除去回路Ｃ０に出力する。過電流除去回路Ｃ０は、入力される直流電圧の値が所定値を超えた場合に、当該電源回路１００内に流れる過電流の除去を行う。なお、本発明は、過電流検出回路に関するものであるため、当該過電流検出回路により過電流が検出された場合に用いる過電流除去回路Ｃ０の具体的な構成の説明については、省略する。
【００１６】
上記構成の過電流検出回路を用いることにより、電源回路内で過電流検出のための電力の消費を無くすことができ、それによって、回路内で変圧器による電圧変換を行う電源回路、特に複合共振型の電源回路における直流電圧の取り出し効率の低下を防止することができる。
【図面の簡単な説明】
【００１７】
【図１】実施の形態にかかる過電流検出回路を備える複合共振型の電源回路の構成を示す図である。
【図２】従来の過電流検出回路を備える複合共振型の電源回路の構成を示す図である。
【符号の説明】
【００１８】
１００  電源回路、１０１  交流電源、１０２  整流・平滑化回路、１０５  スイッチング回路、１０６  変圧器、１０７  整流・平滑化回路、１２０  過電流検出回路、１５０  負荷。
【図１】
2005354840.tif 000003
【図２】
2005354840.tif 000004